(57)【特許請求の範囲】
【請求項１】
遊技領域の前面側において、
第１位置と、第２位置との間で移動され、所定の図形を模した第１形状を有する第１可動部材と、
前記第１位置にて第１可動部材の周囲を囲んで第１可動部材と一体となることによって、第１形状と同一図形を模した第１形状よりも大きい第２形状を形成する一対の第２可動部材と、
前記第１位置にて第２可動部材の両側に移動して第１可動部材及び第２可動部材と一体となることによって、第１形状及び第２形状と異なる図形を模した第３形状を形成する第３可動部材と、を備えることを特徴とする遊技機。
【請求項２】
前記第２可動部材は、前記第１可動部材が第２位置に移動された際に前記遊技領域の前面側から外れた位置まで移動され、
前記第３可動部材は、前記第１可動部材が第２位置に移動された際に前記遊技領域の前面側から外れた位置まで移動されることを特徴とする請求項１に記載の遊技機。
【請求項３】
前記第１可動部材と前記第２可動部材は、少なくとも一部に共通のデザインを有することを特徴とする請求項１又は請求項２に記載の遊技機。
【発明の詳細な説明】
【技術分野】
【０００１】
本発明は、遊技盤の遊技領域に配設される表示装置の表示領域に対して役物装置等の可動部材を出入可能な遊技機に関するものである。
【背景技術】
【０００２】
従来より、遊技盤の遊技領域に配設された表示装置の表示領域に対して、役物装置等の可動部材を出入可能に構成し、表示装置上で行われるゲームに関連して可動部材を移動させることにより各種の演出を行う遊技機が提案されている。
【０００３】
例えば、特開２０１０−１５８３２６号公報には、モータ等の駆動機構により可動役物の可動体を遊技領域における格納位置と露出位置との間を移動可能に構成し、露出位置では可動体の装飾部材に形成されたレンズ状の透過部材を介してＬＥＤを発光させている。
【先行技術文献】
【特許文献】
【０００４】
【特許文献１】特開２０１０−１５８３２６号公報
【発明の概要】
【発明が解決しようとする課題】
【０００５】
しかしながら、特許文献１に記載された遊技機では、可動役物の可動体にＬＥＤを搭載しＬＥＤの発行制御を行うことにより演出を行うものではあるが、可動体としては遊技領域に対して出入される１つの可動体しか存在しておらず、従って、可動体による演出を行うについては、まだまだ不十分なものである。
【０００６】
本発明は、前記従来における問題点を解消するためになされたものであり、遊技領域の前面側において、複数の可動部材を相互に連動させつつ移動させることにより、複数の可動部材により一体感のある演出を可能とする遊技機を提供することを目的とする。
【課題を解決するための手段】
【０００７】
前記目的を達成するため請求項１に係る遊技機は、遊技領域の前面側において、第１位置と、第２位置との間で移動され、所定の図形を模した第１形状を有する第１可動部材と、前記第１位置にて第１可動部材の周囲を囲んで第１可動部材と一体となることによって、第１形状と同一図形を模した第１形状よりも大きい第２形状を形成する一対の第２可動部材と、前記第１位置にて第２可動部材の両側に移動して第１可動部材及び第２可動部材と一体となることによって、第１形状及び第２形状と異なる図形を模した第３形状を形成する第３可動部材と、を備えることを特徴とする。
【０００９】
請求項２に係る遊技機は、請求項１に記載の遊技機において、前記第２可動部材は、前記第１可動部材が第２位置に移動された際に前記遊技領域の前面側から外れた位置まで移動され、前記第３可動部材は、前記第１可動部材が第２位置に移動された際に前記遊技領域の前面側から外れた位置まで移動されることを特徴とする。
【００１０】
請求項３に係る遊技機は、請求項１又は請求項２に記載された遊技機において、前記第１可動部材と前記第２可動部材は、少なくとも一部に共通のデザインを有することを特徴とする。
【発明の効果】
【００１１】
請求項１に係る遊技機では、遊技領域の前面側にて、第１位置と、第２位置との間で移動される第１可動部材と、第１位置にて第１可動部材に対して第１可動部材をより大きな形状に表示する一対の第２可動部材と、第１位置にて第２可動部材の両側に移動し、第１可動部材及び第２可動部材を装飾する第３可動部材とを備え、第１可動部材が第位置まで移動された際に、その第１位置にて第１〜第３可動部材が相互に近傍に配置されるように構成したので、第１可動部材乃至第３可動部材により一体感のある演出を行うことができる。
【００１２】
請求項１に係る遊技機では、第２可動部材は、第１可動部材を囲んで、第１可動部材をより大きな形状に表示するように配置されるので、第２可動部材を介して第１可動部材の拡大表示をして迫力のある演出を行うことができる。
【００１３】
請求項２に係る遊技機では、第２可動部材は、第１可動部材が第２位置に移動された際に遊技領域の前面側から外れた位置まで移動され、また、第３可動部材は、第１可動部材が第２位置に移動された際に遊技領域の前面側から外れた位置まで移動されるので、第１位置にて行われる一体感のある演出と、第２位置にて第１乃至第３可動部材が遊技流域から外れて消失する演出とを切り換えることにより、より一層効果的な演出を行うことができる。
【００１４】
請求項３に係る遊技機では、第１可動部材と第２可動部材は、少なくとも一部に共通のデザインを有するので、第１位置にて第２可動部材が第１可動部材の近傍に配置された際に共通のデザインに基づき第１可動部材と第２可動部材との間にデザイン上の統一感が生じ、より一体感のある演出が可能となる。
【図面の簡単な説明】
【００１５】
【図１】パチンコ遊技機の正面図である。
【図２】遊技盤の正面図である。
【図３】遊技盤に取り付けられる演出役物装置における第１可動部材、第２可動部材及び第３可動部材が作動されていない状態の演出役物装置の正面図である。
【図４】演出役物装置の正面斜視図である。
【図５】演出役物装置の背面斜視図である。
【図６】第１可動部材、第２可動部材及び第３可動部材が作動された状態を示す演出役物装置の正面図である。
【図７】第１可動部材、第２可動部材及び第３可動部材が作動されていない状態を示す演出役物装置の背面図である。
【図８】第２可動部材及び第３可動部材が作動された状態を示す演出役物装置の正面図である
【図９】第３可動部材が作動されていない状態を示す演出役物装置の正面図である。
【図１０】第３可動部材が作動されていない状態を示す演出役物装置の背面図である。
【図１１】第３可動部材が作動された状態を示す演出役物装置の正面図である。
【図１２】第３可動部材が作動された状態を示す演出役物装置の背面図である。
【図１３】第１可動部材、第２可動部材及び第３可動部材が作動された状態を示す遊技盤の正面図である。
【図１４】第１可動部材、第２可動部材及び第３可動部材が作動された状態を示す演出役物装置の背面図である。
【図１５】第１可動部材、第２可動部材及び第３可動部材が作動された状態を示す演出役物装置の正面斜視図である。
【発明を実施するための形態】
【００１６】
以下、本発明に係る遊技機について、本発明を具体化した実施形態に基づき図面を参照しつつ説明する。図１及び図２に示すように、本実施形態に係るパチンコ遊技機１の遊技盤２には、ガイドレール３で囲まれたほぼ円形の遊技領域４が形成され、この遊技領域４の略中央部には前飾り部材５が配設されている。前飾り部材５の内側には、表示装置６が配設されている。
【００１７】
表示装置６の左側辺とガイドレール３との間には、風車７が設けられている。表示装置６の下方には、始動入賞口８、下側入賞口８Ａ及び外れ球受け入れ口１０が、間隔を開けて並べて設けられている。遊技領域４に配設された前飾り部材５の右側には、始動ゲート１１が設けられており、始動ゲート１１の左側に隣接して大入賞口９が２段に配置されている。さらに、遊技領域４全体に亘って、図示しない複数の障害釘が起立している。
【００１８】
パチンコ遊技機１の遊技盤２より下方には、上皿１２及び下皿１３が上下２段にして設けられている。そして、下皿１３の右端部に設けた操作ノブ１４を操作することで、上皿１２に収容された遊技球が遊技盤２に向けて弾き出される。また、遊技盤２の上方の両側位置には、スピーカ１５、１５が備えられている。
【００１９】
次に所要の各部位について詳説する。
始動ゲート１１は、門形構造をなしかつ検出スイッチを内蔵し、始動ゲート１１を通過した遊技球が検出スイッチにて検出される。そして、その検出信号に基づいて、表示装置６に設けられた普通図柄表示領域の図柄が変動表示される。
【００２０】
始動入賞口８は、所謂、ポケット構造をなして上方に向かって開口しており、かかる始動入賞口８の開口幅は、遊技球が約１つ入る大きさになっている。
始動入賞口８に遊技球が入賞すると、始動入賞口８内に設けた検出スイッチが遊技球を検出し、その検出信号に基づいてカウンタから乱数が取得されるとともにその取得された乱数と大当たり抽選テーブルとを参照して大当たり抽選が行われる。かかる大当たり抽選の結果に基づいて表示装置６が図柄を変動表示する。なお、表示装置６が図柄を変動表示している間に、始動入賞口８に入賞した入賞球は、例えば、４個まで累積カウントされる。
【００２１】
また同様に、遊技球が始動入賞口８に入賞した際には、別のカウンタから乱数が取得されるとともにその取得された乱数と確率変動（以下、確変と略記する）モード抽選テーブルとを参照して確変モード（高確率状態）に移行するかどうかの抽選が行われる。この抽選により確変モードへの移行を獲得すると、後述するように、確変モードへの移行が確定された後に、その旨が表示装置６に表示される。
【００２２】
下側入賞口８Ａは、遊技球が始動ゲート１１を通過したことが検出された際に、図示しないソレノイドを介して開閉される。
【００２３】
大入賞口９は、横長に形成されて、常には、可動扉９Ａにて閉鎖されている。そして、前記のように大当たりが確定することによって、遊技盤２の裏に設けたソレノイドが駆動され、可動扉９Ａが所定期間に亘って前側に倒れ、大当たり遊技が開始される（図１の状態）。これにより、大入賞口９が開放され、可動扉９Ａを案内にして、大入賞口９に多くの遊技球が入賞可能になる。ここで、可動扉９Ａが、開放してから閉じるまでの間を「ラウンド」と称すると、１つのラウンドは、可動扉９Ａの開放時間が３０秒に達したか、又は、大入賞口９に遊技球が１０個入賞したか、の何れかの条件が先に満たされた場合に終了する。尚、本実施形態では、１回の「大当たり遊技」は、最大で１６ラウンドまで継続して行われる。また、本実施形態では、実行可能な残りのラウンド数は、表示装置６のラウンド表示部にて表示される。
【００２４】
表示装置６は、前飾り部材５の後側で遊技盤２の裏面側に配置されるセンター部材に、図示しない液晶モジュール（詳細には、ＴＦＴ−ＬＣＤモジュール）を組み付けてなる。
表示装置６には、通常は、左、中、右の３つの特別図柄が、横並びに表示されている。これら各特別図柄は、例えば、「０」〜「１１」の数字を表記した複数種類のもので構成されており、通常は、各特別図柄ごとに、所定の種類のものが、確定表示されている。そして、始動入賞口８に遊技球が入賞したときに、各特別図柄が、上下方向にスクロールして変動表示され、所定時間後に、例えば、左、中、右の順で各特別図柄が停止表示される。このとき、例えば、全ての特別図柄が同じ図柄、即ち、ぞろ目になった場合に、「大当たり遊技」が開始され、可動扉９Ａが開かれる。
【００２５】
特別図柄の表示領域の左下隅には、普通図柄表示領域が設けられている。この普通図柄表示領域は、始動ゲート１１内に設けた検出スイッチが遊技球の通過を検出したときに、例えば、「０」〜「９」までの数字を所定期間に亘って変動表示した後、所定の数字を確定表示する。そして、確定表示された数字が、例えば、奇数の場合に、下側入賞口８Ａが所定期間（例えば、０．４秒）に亘って横に倒される。また、普通図柄表示領域が変動表示している間に始動ゲート１１を通過した遊技球は、例えば、４つまで累積カウントされ、例えば、図示しないＬＥＤの点灯数で表示される。
【００２６】
続いて、前飾り部材５と表示装置６との間で、遊技盤２に配設される演出役物装置２０について図３乃至図１２に基づき説明する。演出役物装置２０は、基本的に、ハート形状に形成された第１可動部材３０及びその第１駆動機構、第１可動部材３０の両側を囲むように湾曲形状に形成された一対の第２可動部材４０及びその第２駆動機構、及び、第２駆動部材４０の両側に移動して第１可動部材３０、第２駆動部材４０を装飾する一対の第３可動部材５０及びその第３駆動機構から構成されている。
【００２７】
先ず、第１可動部材３０及びその第１駆動機構について説明する。第１可動部材３０はその内側で三重に装飾されたハート形状に形成されるとともに複数個所で星形にデザインされた星形マークＨ１が設けられており、かかる第１可動部材３０の下部（図３等参照）にはベース部材３１が一体に設けられている。かかるベース部材３１上には、連結軸３１Ａが立設されている。
ここに、演出役物装置２０のベース板２１には、ベース部材３１の両側に対応して、一対のレール部２２（図６参照）が形成されており、かかる各レール部２２にはベース部材３１の裏面側に形成された突状部（図示せず）が摺動可能に遊嵌されている。従って、第１可動部材３０及びベース部材３１は、各レール部２２と突状部との協働により、上下方向に移動可能に構成されている。
【００２８】
また、演出役物装置２０のベース板２１における左下側には、第１駆動モータ３２が固定されている。第１駆動モータ３２の駆動軸３２Ａにはピニオンギア３３が固着されており、かかるピニオンギア３３は、ベース板２１に回転可能に軸支されたギア部材３４（図６参照）に噛合されている。尚、図６において、ギア部材３４は平板部３４Ａの下側（図６中奥側）にギア歯（図示せず）が形成されている。また、ギア部材３４の平板部３４Ａには、ピン３４Ｂが立設されている。
【００２９】
更に、ギア部材３４のピン３４Ｂとベース部材３１の連結軸３１Ａとの間には、連結リンク部材３５が配設されている。連結リンク部材３５は、扇状のベース部３５Ａと屈曲状のリンク部３５Ｂとが一体に形成されてなる。ベース部３５Ａには、長孔３５Ｃが形成されており、かかる長孔３５Ｃにはギア部材３４の平板部３４Ａに形成されたピン３４Ｂが摺動可能に遊嵌される。また、リンク部３５Ｂの一端（図３中右端）には、傾斜状の長孔３５Ｄが形成されており、かかる長孔３５Ｄには前記したベース部材３１に形成された連結軸３１Ａが摺動可能に遊嵌されている。
尚、連結リンク部材３５におけるベース部３５Ａの要部（リンク部３５Ｂの左端部）は、支持軸３６を介して演出役物装置２０のベース板２１に回動可能に支持されている。
【００３０】
前記ように構成された第１可動部材３０の第１駆動機構を介して行われる第１可動部材３０の駆動態様について説明する。先ず、第１可動部材３０が駆動されていない状態においては、第１可動部材３０は、図１及び図２示されるように表示装置６の表示領域、即ち遊技領域４の前面側から外れた位置に停止している。この状態では図３に示すように、ギア部材３４の平板部３４Ａに立設されたピン３４Ｂは、連結リンク部材のベース部３５Ａ形成された長孔３５Ｃの上端に当接係止しており、また、ベース部材３１に形成された連結軸３１Ａは、連結リンク部材３５におけるリンク部３５Ｂの一端に形成された長孔３５Ｄの右端に当接係止している。
【００３１】
そして、第１駆動モータ３２が図３にて時計方向に回転されると、ピニオンギア３３も時計方向に回転され、ギア部材３４は反時計方向に回転される。これに伴い、ギア部材３４に立設されたピン３４Ｂも反時計方向に回転されていく。このとき、ピン３４Ｂは、長孔３５Ｃ内を下方（図３参照）に摺動しつつ連結リンク部材３５を支持軸３６の回りに反時計方向に回転させていく。同時に、連結リンク部材３５の反時計方向への回転に基づき、リンク部３５Ｂも反時計方向に回転され、これより第１可動部材３０及びベース部材３１は、長孔３５Ｄとベース部材３１の連結軸３１Ａとの遊嵌を介して、ベース板２１の各レール部２２とベース部材３１の突状部との協働により、上方へ移動されていく。
【００３２】
更に、第１駆動モータ３２を時計方向に回転させていくと、やがてギア部材３４のピン３４Ｂは長孔３５Ｃの下端に当接し、また、連結軸３１Ａは長孔３５Ｄの左端に当接する。この時点で、第１可動部材３０及びベース部材３１は、上下方向移動量の略中間位置にある。
【００３３】
その後更に第１駆動モータ３２を時計方向に回転させていくと、ギア部材３４のピン３４Ｂは長孔３５Ｃ内を上方に向かって移動し、また、連結軸３１Ａは長孔３５Ｄ内を右方向に移動していく。これに伴って第１可動部材３０及びベース部材３１は更に上方に移動していき、最終的に図６に示す位置まで移動する。図６に示す状態で第１可動部材３０は、表示装置６の表示領域、即ち遊技領域４の前面側に配置され、また、ギア部材３４のピン３４Ｂは、長孔３５Ｃの上端に当接し、また、連結軸３１Ａは長孔３５Ｄの右端に当接する。
【００３４】
このように、第１可動部材３０は、図１及び図２に示す表示装置６の表示領域から外れた位置と、図６に示す表示装置６の表示領域に配置される位置との間で、移動可能に構成されている。
【００３５】
尚、図６に示す位置から第１可動部材３０を表示装置６の表示領域から外れた図１乃至図３に示す位置まで移動させるには、第１駆動モータ３２を前記とは逆の反時計方向に回転させる。これにより、前記した動作とは逆の動作が行われ、第１可動部材３０は図１乃至図３に示す位置まで移動される。
【００３６】
続いて、前記第１可動部材３０の両側を囲むように湾曲形状に形成された一対の第２可動部材４０及びその第２駆動機構について図７及び図８に基づき説明する。第２可動部材４０は、ハート形状を有する第１可動部材３０を両側から囲むように移動され、第１可動部材３０のハート形状を大きくした湾曲形状に形成されるとともに、第１可動部材３０に設けられた星形マークＨ１と共通なデザインを有する星形マークＨ２が設けられている。このように第２可動部材４０が、図６に示すように、第１可動部材３０の両側を囲んだ状態では、第１可動部材３０のハート形状を更に大きく迫力のあるハート形状を表示することができる。
【００３７】
各第２可動部材４０は、図６に示すように、基本的に同一形状に形成されており、左右対称の関係にある。各第２可動部材４０は、湾曲された装飾部４０Ａと装飾部４０Ａに連続する基端部４０Ｂとを一体に有する。装飾部４０Ａは、第１可動部材３０のハート形状と同等の曲率で湾曲形状に形成されている。基端部４０Ｂにはギア部４０Ｃが設けられており、また、第２可動部材４０はギア部４０Ｃにて軸４０Ｄを介して回動可能にベース板２１に支持されている。
ここに、各第２可動部材４０のギア部４０Ｃは、一定距離離間して状態で対向配置されている。
【００３８】
また、ベース板２１には、第２駆動モータ４１が固定されており、第２駆動モータ４１にはギア部材４１Ａが固着されている。ギア部材４１Ａに隣接してベース板２１上にギア列４２が配設されている。ギア列４２は、ギア部材４１Ａに噛合して第２駆動モータ４１からの回転駆動力が伝達される第１ギア４２Ａ、第１ギア４２Ａに噛合される第２ギア４２Ｂ及び第２ギア４２Ｂに噛合される第３ギア４２Ｃから構成されている。
【００３９】
ベース板２１の中央部において、駆動力伝達部材４３が上下方向に移動可能に配設されている。駆動力伝達部材４３は、第２駆動モータ４１から伝達される回転駆動力をギア列４２の第３ギア４２Ｃから各第２可動部材４０の基端部４０Ｂに形成されたギア部４０Ｃに伝達する部材である。駆動力伝達部材４８における下部の一側には、ギア列４２の第３ギア４２Ｃに噛合するギア歯４３Ａが形成されており、また、駆動力伝達部材４３における上部両側には、各第２可動部材４０に形成されたギア部４０Ｃに噛合するギア歯４３Ｂが形成されている。
尚、駆動力伝達部材４３の上部には上下方向に開口する上側長孔４３Ｃが形成されており、また、駆動力伝達部材４３の下部には上下方向に開口する下側長孔４３Ｄが形成されている。上側長孔４３Ｃにはベース板２１に立設されたピン２３が摺動可能に遊嵌され、また、下側長孔４３Ｄには同様にベース板２１に立設されたピン２４が摺動可能に遊嵌されている。これら上側長孔４３Ｃとピン２３、及び、下側長孔４３Ｄとピン２４との協働により、駆動力伝達部材４３の上下方向の移動が案内されている。
【００４０】
前記ように構成された第２可動部材４０の第２駆動機構を介して行われる第２可動部材４０の駆動態様について説明する。先ず、第２可動部材４０が駆動されていない状態においては、第２可動部材４０は図７に示されるように、最も下方位置、即ち遊技領域４の前面側から外れた位置にある。この状態で、ピン２３は長孔４３Ｃの下端に当接し、ピン２４は長孔４３Ｄの下端に当接している。
【００４１】
第２駆動モータ４１が図７にて時計方向に回転されると、第２駆動モータ４１の回転駆動力は、時計方向に回転するギア部材４１Ａを介してギア列４２の第１ギア４２Ａ（反時計方向回転）、第２ギア４２Ｂ（時計方向回転）、第３ギア４２Ｃ（反時計方向回転）からギア歯４３Ａに伝達される。このとき、ギア歯４３Ａには下方向への駆動力が伝達され、これにより駆動力伝達部材４３は下方へ移動される。
【００４２】
かかる駆動力伝達部材４３の下方への移動に対応して、各第２可動部材４０は、ギア部４０Ｃと駆動力伝達部材４３のギア歯４３Ｂとの噛合に基づき軸４０Ｄの回りに回転する。具体的に、左側の第２可動部材４０は、時計方向に回転され、また、右側の第２可動部材４０は反時計方向に回転される。
【００４３】
更に、第２駆動モータ４１を反時計方向に回転させると、各第２可動部材４０の先端部が相互に近接するように回転していき、最終的に各第２可動部材４０は、図８に示すように、内側湾曲部により協働して略ハート形状の空間を形成して停止する。この状態で、各第２可動部材４０の外側湾曲部も略ハート形状を形成する。
このとき、図６に示すように、各第２可動部材４０の内側湾曲部は第１可動部材３０の周囲を囲んでおり、また、外側湾曲部も略ハート形状を形成しているので、第１可動部材３０が表示領域内に配置される状態で各第２可動部材４０との協働により、全体として統一的に第１可動部材３０のハート形状を更に大きく迫力のあるハート形状を表示することとなる。
【００４４】
尚、各第２可動部材４０を図８に示す位置から図７に示す位置まで戻すには、第２駆動モータ４１を前記とは逆の時計方向に回転させる。これにより、前記した動作とは逆の動作が行われ、第２可動部材４０は図７に示す位置まで移動される。
【００４５】
次に、前記した第２可動部材４０の両側に移動して第１可動部材３０、第２可動部材４０を装飾する一対の第３可動部材５０及びその第３駆動機構について図９乃至図１２に基づき説明する。
ここに、第３可動部材５０は演出役物装置２０の左側及び右側で一対配置されており、各第３可動部材５０は相互に左右対称な形状を有している。各第３可動部材５０には、それぞれ独立した基本的に同一の第３駆動機構が付設されているが、各第３駆動機構は同期して第３可動部材５０の駆動を行う。
【００４６】
第３可動部材５０は、図１０乃至図１２に示すように、翼形状を有しており、ハート形状の第１可動部材３０及び第１可動部材３０の両側に近接して全体として統一的に第１可動部材３０のハート形状を更に大きく迫力のあるハート形状を表示する第２可動部材４０の更にその外側に近接配置されて、第１可動部材３０及び第２可動部材４０を統一的に装飾するものである。
【００４７】
先ず、ベース板２１の表面側で右側（裏面側で左側）に配置される第３可動部材５０について説明する。第３可動部材５０は、図１０乃至図１２に示すように、翼部５０Ａと基部５０Ｂとを一体に形成してなり、翼部５０Ａから延設されたリンク部５０Ｃ（図１２参照）の先端が支持部５１にてベース板２１に回動可能に支持されている。また、第３可動部材５０の基部５０Ｂにおいて、その表面側（図９、図１１で示す側）には、摺動ピン５０Ｄが形成されており、かかる摺動ピン５０Ｄは、ベース板２１に形成された円弧状の摺動溝５２に摺動可能に遊嵌されている。更に、基部５０Ｂにて、その裏面側（図１０、図１２で示す側）には、作動ピン５０Ｅが形成されている。
【００４８】
ベース板２１の裏面側で左下方位置には、図１０、図１２に示すように、第３駆動モータ５３が固定されており、その駆動軸５３Ａにはギア部材５３Ｂが固着されている。ギア部材５３Ｂに隣接して、ギア部材５３Ｂに噛合するギア部を有するギア部材５４が回転可能に設けられている。かかるギア部材５４には、駆動ピン５４Ａが立設されている。
【００４９】
また、ベース板２１には、リンク部材５５が配設されており、かかるリンク部材５５の端部（図１０、図１２にて左端部）は、支持軸５５Ａを介してベース板２１上で回動可能に支持されている。更に、リンク部材５５には、その中央部に長孔状の第１リンク溝５５Ｂが形成されるとともに、第１リンク溝５５Ｂに隣接して長孔状の第２リンク溝５５Ｃが形成されている。第１リンク溝５５Ｂには、前記したギア部材５４に立設された駆動ピン５４Ａが摺動可能に遊嵌され、第２リンク溝５５Ｃには第３可動部材５０の基部５０Ｂに形成された作動ピン５０Ｅが摺動可能に遊嵌されている。
【００５０】
前記ように構成された第３可動部材５０の第３駆動機構を介して行われる第３可動部材５０の駆動態様について説明する。先ず、第３可動部材５０が駆動されていない状態においては、第３可動部材５０は図９、図１０に示されるように、下方位置にある。この状態で、駆動ピン５４Ａは第１リンク溝５５Ｂの左端に当接されており、また、作動ピン５０Ｅは第２リンク溝５５Ｃの右端に当接している。また、摺動ピン５０Ｄは、図９に示すように、ベース板２１に形成された円弧状の摺動溝５２にて下端に当接している。
【００５１】
第３駆動モータ５３が図１０にて時計方向に回転されると、ギア部材５３Ｂを介してギア部材５４が反時計方向に回転される。このようにギア部材５４が反時計方向に回転されると、駆動ピン５４Ａは第１リンク溝５５Ｂ内を右側に移動しつつ、リンク部材５５を支持軸５５Ａの回りに反時計方向に回転させる。また、作動ピン５０Ｅは、第２リンク溝５５Ｃ内を左側に移動しつつ第３可動部材５０を支持部５１の回りに時計方向に回転させる。これに伴い、摺動ピン５０Ｄは、摺動溝５２内を上方向に向かって移動される。
【００５２】
更に、第３駆動モータ５３を時計方向に回転させると、ギア部材５４が更に反時計方向に回転される。これにより、駆動ピン５４Ａは第１リンク溝５５Ｂ内を右側に移動して右端に当接するとともにリンク部材５５を支持軸５５Ａの回りに更に反時計方向に回転させる。また、作動ピン５０Ｅは、第２リンク溝５５Ｃ内を左側に移動して左端に当接するとともに第３可動部材５０を支持部５１の回りに更に時計方向に回転させる。この時点で、摺動ピン５０Ｄは、摺動溝５２の略中間位置まで移動しており、第３可動部材５０は表示装置６の表示領域、即ち遊技領域４の前面側に半分程度露出された状態となる。
【００５３】
そして更に第３駆動モータ５３を時計方向に回転させると、ギア部材５４が更に反時計方向に回転され、この結果、駆動ピン５４Ａは第１リンク溝５５Ｂ内で右端当接位置から左側に移動して再度左端に当接するまで移動する。また、作動ピン５０Ｅは、第２リンク溝５５Ｃ内で左端当接位置から右側に移動して再度右端に当接するまで移動する。また、摺動ピン５０Ｄは、摺動溝５２の上端に当接されるまで移動する。この間に、第３可動部材５０は、支持部５１の回りに更に時計方向に回転され、最終的に図１１、図１２に示すように第３可動部材５０が表示装置６の表示領域、即ち遊技領域４の前面側に最大限露出された状態となる。
【００５４】
尚、第３可動部材５０を図１１、図１２に示す位置から図９、図１０に示す位置まで戻すには、第３駆動モータ５３を前記とは逆の反時計方向に回転させる。これにより、前記した動作とは逆の動作が行われ、第３可動部材５０は図９、図１０に示す位置まで移動される。
【００５５】
続いて、ベース板２１の表面側で左側（裏面側で右側）に配置される第３可動部材５０について説明する。かかる第３可動部材５０は、前記したベース板２１の表面側で右側に配置される第３可動部材５０と相互に左右対称な形状を有しているだけであり、従って、基本的に同一の構成を具有していることから、同一の構成部分については説明を省略する。また、その第３駆動機構も基本的に同一の構成を有していることから、以下の説明において前記した構成と同一の構成については同一の符号を付して説明する。
【００５６】
ベース板２１の表面側で左側（裏面側で右側）に配置される第３可動部材５０は、図１０乃至図１２に示すように、翼部５０Ａと基部５０Ｂとを一体に形成してなり、翼部５０Ａから延設されたリンク部５０Ｃ（図１２参照）の先端が支持部６１にてベース板２１に回動可能に支持されている。また、第３可動部材５０の基部５０Ｂにおいて、その表面側（図９、図１１で示す側）には、摺動ピン５０Ｄが形成されており、かかる摺動ピン５０Ｄは、ベース板２１に形成された円弧状の摺動溝５２に摺動可能に遊嵌されている。更に、基部５０Ｂにて、その裏面側（図１０、図１２で示す側）には、作動ピン５０Ｅが形成されている。
【００５７】
ベース板２１の裏面側で右下方位置には、図１０、図１２に示すように、第４駆動モータ６３が固定されており、その駆動軸６３Ａにはギア部材６３Ｂが固着されている。ギア部材６３Ｂに隣接して、ギア部材６３Ｂに噛合するギア部を有するギア部材５４が回転可能に設けられている。かかるギア部材５４には、駆動ピン５４Ａが立設されている。
【００５８】
また、ベース板２１には、リンク部材５５が配設されており、かかるリンク部材５５の端部（図１０、図１２にて右端部）は、支持軸５５Ａを介してベース板２１上で回動可能に支持されている。更に、リンク部材５５には、その中央部に長孔状の第１リンク溝５５Ｂが形成されるとともに、第１リンク溝５５Ｂに隣接して長孔状の第２リンク溝５５Ｃが形成されている。第１リンク溝５５Ｂには、前記したギア部材５４に立設された駆動ピン５４Ａが摺動可能に遊嵌され、第２リンク溝５５Ｃには第３可動部材５０の基部５０Ｂに形成された作動ピン５０Ｅが摺動可能に遊嵌されている。
【００５９】
前記ように構成された第３可動部材５０の第３駆動機構を介して行われる第３可動部材５０の駆動態様について説明する。先ず、第３可動部材５０が駆動されていない状態においては、第３可動部材５０は図９、図１０に示されるように、下方位置にある。この状態で、駆動ピン５４Ａは第１リンク溝５５Ｂの右端に当接されており、また、作動ピン５０Ｅは第２リンク溝５５Ｃの左端に当接している。また、摺動ピン５０Ｄは、図９に示すように、ベース板２１に形成された円弧状の摺動溝５２にて下端に当接している。
【００６０】
第４駆動モータ６３が図１０にて反時計方向に回転されると、ギア部材６３Ｂを介してギア部材５４が時計方向に回転される。このようにギア部材５４が時計方向に回転されると、駆動ピン５４Ａは第１リンク溝５５Ｂ内を左側に移動しつつ、リンク部材５５を支持軸５５Ａの回りに反時計方向に回転させる。また、作動ピン５０Ｅは、第２リンク溝５５Ｃ内を右側に移動しつつ第３可動部材５０を支持部５１の回りに反時計方向に回転させる。これに伴い、摺動ピン５０Ｄは、摺動溝５２内を上方向に向かって移動される。
【００６１】
更に、第４駆動モータ６３を反時計方向に回転させると、ギア部材５４が更に時計方向に回転される。これにより、駆動ピン５４Ａは第１リンク溝５５Ｂ内を左側に移動して左端に当接するとともにリンク部材５５を支持軸５５Ａの回りに更に反時計方向に回転させる。また、作動ピン５０Ｅは、第２リンク溝５５Ｃ内を右側に移動して右端に当接するとともに第３可動部材５０を支持部５１の回りに更に反時計方向に回転させる。この時点で、摺動ピン５０Ｄは、摺動溝５２の略中間位置まで移動しており、第３可動部材５０は表示装置６の表示領域、即ち遊技領域４の前面側に半分程度露出された状態となる。
【００６２】
そして更に第４駆動モータ６３を反時計方向に回転させると、ギア部材５４が更に時計方向に回転され、この結果、駆動ピン５４Ａは第１リンク溝５５Ｂ内で左端当接位置から右側に移動して再度右端に当接するまで移動する。また、作動ピン５０Ｅは、第２リンク溝５５Ｃ内で右端当接位置から左側に移動して再度左端に当接するまで移動する。また、摺動ピン５０Ｄは、摺動溝５２の上端に当接されるまで移動する。この間に、第３可動部材５０は、支持部５１の回りに更に反時計方向に回転され、最終的に図１１、図１２に示すように第３可動部材５０が表示装置６の表示領域、即ち遊技領域４の前面側に最大限露出された状態となる。
【００６３】
尚、第３可動部材５０を図１１、図１２に示す位置から図９、図１０に示す位置まで戻すには、第４駆動モータ６３を前記とは逆の反時計方向に回転させる。これにより、前記した動作とは逆の動作が行われ、第３可動部材５０は図９、図１０に示す位置まで移動される。
【００６４】
前記のように構成された第１駆動機構を介して第１可動部材３０を表示装置６の表示領域、即ち遊技領域４の前面側に配置し、第２駆動機構を介して各第２可動部材４０を第１可動部材３０の両側を囲むように配置し、更に各第３駆動機構を介して各第３可動部材５０を第２可動部材４０の両側に配置した状態が図１３乃至図１５に示されている。
【００６５】
図１３乃至図１５に示すように、第２可動部材４０は、ハート形状を有する第１可動部材３０を両側から囲むように移動され、第１可動部材３０のハート形状を大きくした湾曲形状に形成されていることから、第１可動部材３０の両側を囲んだ状態では、第１可動部材３０のハート形状を更に大きく迫力のあるハート形状を表示することができ、また、第３可動部材５０は、翼形状を有しており、第２可動部材４０の外側に近接配置されて、第１可動部材３０及び第２可動部材４０を統一的に装飾することができる。
【００６６】
これにより、第１可動部材３０、第２可動部材４０及び第３可動部材５０は相互に連動しつつ移動されて、第１可動部材３０、第２可動部材４０及び第３可動部材５０により一体感のある演出を行うことができる。
【００６７】
また、第２可動部材４０は、第１可動部材３０を囲んで、第１可動部材３０をより大きな形状に表示するように配置されるので、第２可動部材４０を介して第１可動部材３０の拡大表示をして迫力のある演出を行うことができる。
【００６８】
また、前記のように第１駆動機構を介して第１可動部材３０を表示装置６の表示領域、即ち遊技領域４の前面側に配置し、第２駆動機構を介して各第２可動部材４０を第１可動部材３０の両側を囲むように配置し、更に各第３駆動機構を介して各第３可動部材５０を第２可動部材４０の両側に配置した状態と、第１可動部材３０を表示装置６の表示領域（遊技領域４の前面側）から外れた位置に移動した際に、各第２可動部材４０を表示装置６の表示流域（遊技領域４の前面側）から外れた位置まで移動するとともに各第３可動部材５を表示装置６の表示領域（遊技領域４の前面側）から外れた位置まで移動した状態とを切り換えることにより、第１可動部材３０、第２可動部材４０及び第３可動部材５０を相互に連動しつつ移動して第１可動部材３０乃至第３可動部材５０により行われる一体感のある演出と、第１可動部材３０乃至第３可動部材５０を表示装置６の表示領域（遊技領域４の前面側）から外れて消失する演出とを切り換えることにより、より一層効果的な演出を行うことができる。
【００６９】
更に、第１可動部材３０と第２可動部材４０は、それぞれの一部に共通の星形デザインに形成された星形マークＨ１とＨ２を有するので、遊技領域４の前面側に露出される位置にて第２可動部材４０が第１可動部材３０の近傍に配置された際に共通の星形デザインを有する星形マークＨ１及びＨ２に基づき第１可動部材３０と第２可動部材４０との間にデザイン上の統一感が生じ、より一体感のある演出が可能となる。
【００７０】
尚、本発明は前記実施形態に限定されるものではなく、本発明の要旨を逸脱しない範囲内で種々の改良、変形が可能であることは勿論である。
例えば、本実施形態では、先ず第１可動部材３０を表示装置６の表示領域に配置し、その後に各第２可動部材４０を第１可動部材３０の両側を囲むように配置するとともに、各第３可動部材５０を第２可動部材４０の両側に配置しているが、これに限定されることはない。最終的に第１可動部材３０、第２可動部材４０、第３可動部材５０による統一的な演出が行われればよく、従って、第１可動部材３０、第２可動部材４０、第３可動部材５０の駆動タイミングはどのような順序でもよい。
また、演出役物装置２０には、その両側で対称な２つの第３可動部材５０が設けられており、各第３可動部材５０は第３駆動機構により同期して移動されるものであるが、各第３可動部材５０は必ずしも同期して移動される必要はなく、任意のタイミングで移動してもよい。
【符号の説明】
【００７１】
１            パチンコ遊技機
２            遊技盤
４            遊技領域
６            表示装置
３０          第１可動部材
３２          第１駆動モータ
４０          第２可動部材
４１          第２駆動モータ
５０          第３可動部材
５３          第３駆動モータ
６３          第４駆動モータ
Ｈ１          星形マーク
Ｈ２          星形マーク
【図１】
0006032502.tif 000002
【図２】
0006032502.tif 000003
【図３】
0006032502.tif 000004
【図４】
0006032502.tif 000005
【図５】
0006032502.tif 000006
【図６】
0006032502.tif 000007
【図７】
0006032502.tif 000008
【図８】
0006032502.tif 000009
【図９】
0006032502.tif 000010
【図１０】
0006032502.tif 000011
【図１１】
0006032502.tif 000012
【図１２】
0006032502.tif 000013
【図１３】
0006032502.tif 000014
【図１４】
0006032502.tif 000015
【図１５】
0006032502.tif 000016